(57)【要約】【課題】街路樹の調査作業時において、高い精度で各街路樹を識別する。【解決手段】街路樹管理装置１０は、街路樹の植樹位置に対応する位置で計測したＧＰＳ計測結果を主キーとし、街路樹を撮像した街路樹画像、及び街路樹に関する各種情報を含むエントリを街路樹毎に登録した街路樹管理台帳データベース２０を備える。街路樹管理装置１０では、街路樹エントリ送信部１８が、街路樹の調査時に携帯情報端末５０からＧＰＳ計測結果を受信した場合に、受信したＧＰＳ計測結果が示す位置に最近傍な位置を示すＧＰＳ計測結果を主キーとして登録されたエントリを、街路樹管理台帳データベース２０から取得して、携帯情報端末５０へ送信する。【選択図】図３
2019095976.tif 000002
【特許請求の範囲】
【請求項１】
街路樹の植樹位置に対応する位置で計測したＧＰＳ計測結果を主キーとし、前記街路樹を撮像した街路樹画像、及び前記街路樹に関する各種情報を含むエントリを街路樹毎に登録した街路樹管理台帳データベースと、
街路樹の調査時に携帯情報端末からＧＰＳ計測結果を受信した場合に、受信した前記ＧＰＳ計測結果が示す位置に最近傍な位置を示すＧＰＳ計測結果を主キーとして登録された前記エントリを、前記街路樹管理台帳データベースから取得して、前記携帯情報端末へ送信する送信部と、
を含む街路樹管理装置。
【請求項２】
前記最近傍な位置は、受信した前記ＧＰＳ計測結果が示す位置から所定距離以内で、かつ各エントリの主キーであるＧＰＳ計測結果が示す位置のうち、受信した前記ＧＰＳ計測結果が示す位置に最も近い位置である請求項１に記載の街路樹管理装置。
【請求項３】
前記最近傍な位置を示すＧＰＳ計測結果を主キーとして登録された前記エントリが前記街路樹管理台帳データベースに登録されていない場合、新たなＧＰＳ計測結果を主キーとするエントリを前記携帯情報端末から受信し、受信した新たなエントリを、前記街路樹管理台帳データベースに登録し、
前記携帯情報端末へ送信した前記エントリを更新する情報を前記携帯情報端末から受信した場合、受信した情報に基づいて、前記街路樹管理台帳データベースの前記エントリを更新し、
前記携帯情報端末へ送信した前記エントリを抹消する指示を前記携帯情報端末から受信した場合、受信した指示に基づいて、前記街路樹管理台帳データベースの前記エントリを抹消する管理部
を更に含む請求項１又は請求項２に記載の街路樹管理装置。
【請求項４】
前記管理部は、新たに登録したエントリ、又は更新したエントリに、専門業者において対応可能な異常として予め定めた異常を示す情報が含まれる場合、前記専門業者で使用される情報端末へ、前記異常に対する対応の依頼を送信する請求項３に記載の街路樹管理装置。
【請求項５】
地形地図上において、街路樹の主キーであるＧＰＳ計測結果に対応する位置に、前記街路樹を示す街路樹マークを付与し、前記街路樹の調査時に携帯情報端末から受信したＧＰＳ計測結果に対応する位置に、前記携帯情報端末を使用する管理担当者を示す管理担当者マークを付与し、前記最近傍な位置に対応する街路樹の街路樹マークを、他の街路樹マークの表示態様とは異ならせたマップを作成する作成部を更に含む請求項１〜請求項４のいずれか１項に記載の街路樹管理装置。
【請求項６】
街路樹の調査時において、各調査位置で計測したＧＰＳ計測結果を取得する測位部と、
街路樹の植樹位置に対応する位置で計測したＧＰＳ計測結果を主キーとし、前記街路樹を撮像した街路樹画像、及び前記街路樹に関する各種情報を含むエントリを街路樹毎に登録した街路樹管理台帳データベースを有する街路樹管理装置から、前記測位部により取得されたＧＰＳ計測結果が示す位置に最近傍な位置を示すＧＰＳ計測結果を主キーとするエントリを取得する取得部と、
前記取得部により取得された前記エントリの各種情報を表示した画面を表示部に表示させる表示制御部と、
を含む携帯情報端末。
【請求項７】
前記測位部により取得されたＧＰＳ計測結果が示す位置に最近傍な位置を示すＧＰＳ計測結果を主キーとするエントリが前記街路樹管理装置から取得できない場合、前記測位部により取得されたＧＰＳ計測結果を主キーとして、撮像部により前記街路樹を撮像した街路樹画像、及び前記街路樹に関する各種情報を含むエントリを作成して、前記街路樹管理装置へ送信し、
前記街路樹管理装置から取得したエントリが示す街路樹が現存することを示す指示が入力された場合、前記エントリを更新する情報を受け付けて、前記街路樹管理装置へ送信し、
前記街路樹管理装置から取得したエントリが示す街路樹が現存しないことを示す指示が入力された場合、前記エントリを抹消する指示を前記街路樹管理装置へ送信する処理部
を更に含む請求項６に記載の携帯情報端末。
【請求項８】
請求項１〜請求項５の何れか１項に記載の街路樹管理装置と、
請求項６又は請求項７に記載の携帯情報端末と、
を含む街路樹管理システム。
【発明の詳細な説明】
【技術分野】
【０００１】
本発明は、街路樹管理装置、携帯情報端末、及び街路樹管理システムに関する。
【背景技術】
【０００２】
従来より、樹木診断カルテによる樹木診断の総合的管理システムが知られている（特許文献１）。樹木診断カルテは、“文字データ書込枠”と“イメージデータ書込枠”から構成されており、樹木の位置を指定するのは、“基礎的項目”の“存在番地”である。
【０００３】
また、電柱やケーブルなどの架設設備を管理する際に、その付近に存在する樹木の状態も合わせて管理することが可能な架設設備管理装置が知られている（特許文献２）。
【先行技術文献】
【特許文献】
【０００４】
【特許文献１】特許第０３７４１１７４号公報
【特許文献２】特許第０４６３０１６２号公報
【発明の概要】
【発明が解決しようとする課題】
【０００５】
しかしながら、上記特許文献１に記載の技術では、位置情報が住所（番地）のため、管理できる樹木に限りがある。また、上記特許文献２に記載の技術では、架線の間の樹木しか管理できない。
【０００６】
本発明は、上記の事情に鑑みてなされたもので、街路樹の調査作業時において、高い精度で各街路樹を識別することができる街路樹管理装置、携帯情報端末、及び街路樹管理システムを提供することを目的とする。
【課題を解決するための手段】
【０００７】
上記の目的を達成するために本発明に係る街路樹管理装置は、街路樹の植樹位置に対応する位置で計測したＧＰＳ計測結果を主キーとし、前記街路樹を撮像した街路樹画像、及び前記街路樹に関する各種情報を含むエントリを街路樹毎に登録した街路樹管理台帳データベースと、街路樹の調査時に携帯情報端末からＧＰＳ計測結果を受信した場合に、受信した前記ＧＰＳ計測結果が示す位置に最近傍な位置を示すＧＰＳ計測結果を主キーとして登録された前記エントリを、前記街路樹管理台帳データベースから取得して、前記携帯情報端末へ送信する送信部と、を含んで構成されている。
【０００８】
本発明に係る街路樹管理装置によれば、街路樹の植樹位置に対応する位置で計測したＧＰＳ計測結果を主キーとし、街路樹を撮像した街路樹画像、及び街路樹に関する各種情報を含むエントリを街路樹毎に登録した街路樹管理台帳データベースを備える。そして、送信部が、街路樹の調査時に携帯情報端末からＧＰＳ計測結果を受信した場合に、受信したＧＰＳ計測結果が示す位置に最近傍な位置を示すＧＰＳ計測結果を主キーとして登録されたエントリを、街路樹管理台帳データベースから取得して、携帯情報端末へ送信する。これにより、街路樹の調査時において、高い精度で各街路樹を識別することができる。
【０００９】
また、本発明に係る街路樹管理装置において、前記最近傍な位置は、受信した前記ＧＰＳ計測結果が示す位置から所定距離以内で、かつ各エントリの主キーであるＧＰＳ計測結果が示す位置のうち、受信した前記ＧＰＳ計測結果が示す位置に最も近い位置とすることができる。これにより、より高い精度で各街路樹を識別することができる。
【００１０】
また、本発明に係る街路樹管理装置は、前記最近傍な位置を示すＧＰＳ計測結果を主キーとして登録された前記エントリが前記街路樹管理台帳データベースに登録されていない場合、新たなＧＰＳ計測結果を主キーとするエントリを前記携帯情報端末から受信し、受信した新たなエントリを、前記街路樹管理台帳データベースに登録し、前記携帯情報端末へ送信した前記エントリを更新する情報を前記携帯情報端末から受信した場合、受信した情報に基づいて、前記街路樹管理台帳データベースの前記エントリを更新し、前記携帯情報端末へ送信した前記エントリを抹消する指示を前記携帯情報端末から受信した場合、受信した指示に基づいて、前記街路樹管理台帳データベースの前記エントリを抹消する管理部を更に含んで構成することができる。これにより、エントリの新規登録や、エントリの更新又は抹消の管理を容易に行うことができる。
【００１１】
また、本発明に係る街路樹管理装置において、前記管理部は、新たに登録したエントリ、又は更新したエントリに、専門業者において対応可能な異常として予め定めた異常を示す情報が含まれる場合、前記専門業者で使用される情報端末へ、前記異常に対する対応の依頼を送信することができる。これにより、新たに登録したエントリ、又は更新したエントリに対応する街路樹に異常がある場合に、街路樹の異常に対する迅速な対応が可能となる。
【００１２】
また、本発明に係る街路樹管理装置は、地形地図上において、街路樹の主キーであるＧＰＳ計測結果に対応する位置に、前記街路樹を示す街路樹マークを付与し、前記街路樹の調査時に携帯情報端末から受信したＧＰＳ計測結果に対応する位置に、前記携帯情報端末を使用する管理担当者を示す管理担当者マークを付与し、前記最近傍な位置に対応する街路樹の街路樹マークを、他の街路樹マークの表示態様とは異ならせたマップを作成する作成部を更に含んで構成することができる。これにより、携帯情報端末の位置、最近傍な街路樹の位置、及びその他の街路樹の位置を容易に把握することができる。
【００１３】
また、本発明に係る携帯情報端末は、街路樹の調査時において、各調査位置で計測したＧＰＳ計測結果を取得する測位部と、街路樹の植樹位置に対応する位置で計測したＧＰＳ計測結果を主キーとし、前記街路樹を撮像した街路樹画像、及び前記街路樹に関する各種情報を含むエントリを街路樹毎に登録した街路樹管理台帳データベースを有する街路樹管理装置から、前記測位部により取得されたＧＰＳ計測結果が示す位置に最近傍な位置を示すＧＰＳ計測結果を主キーとするエントリを取得する取得部と、前記取得部により取得された前記エントリの各種情報を表示した画面を表示部に表示させる表示制御部と、を含んで構成することができる。
【００１４】
本発明に係る携帯情報端末によれば、測位部が、街路樹の調査時において、各調査位置で計測したＧＰＳ計測結果を取得する。そして、取得部が、街路樹の植樹位置に対応する位置で計測したＧＰＳ計測結果を主キーとし、街路樹を撮像した街路樹画像、及び街路樹に関する各種情報を含むエントリを街路樹毎に登録した街路樹管理台帳データベースを有する街路樹管理装置から、測位部により取得されたＧＰＳ計測結果が示す位置に最近傍な位置を示すＧＰＳ計測結果を主キーとするエントリを取得する。さらに、表示制御部が、取得部により取得されたエントリの各種情報を表示した画面を表示部に表示させる。これにより、街路樹の調査時において、高い精度で各街路樹を識別することができる。
【００１５】
また、本発明に係る携帯情報端末は、前記測位部により取得されたＧＰＳ計測結果が示す位置に最近傍な位置を示すＧＰＳ計測結果を主キーとするエントリが前記街路樹管理装置から取得できない場合、前記測位部により取得されたＧＰＳ計測結果を主キーとして、撮像部により前記街路樹を撮像した街路樹画像、及び前記街路樹に関する各種情報を含むエントリを作成して、前記街路樹管理装置へ送信し、前記街路樹管理装置から取得したエントリが示す街路樹が現存することを示す指示が入力された場合、前記エントリを更新する情報を受け付けて、前記街路樹管理装置へ送信し、前記街路樹管理装置から取得したエントリが示す街路樹が現存しないことを示す指示が入力された場合、前記エントリを抹消する指示を前記街路樹管理装置へ送信する処理部を更に含んで構成することができる。これにより、煩雑な手順を踏むことなく、新規なエントリの登録や、エントリの更新又は抹消の処理へ移行することができる。
【００１６】
また、本発明に係る街路樹管理システムは、上記の街路樹管理装置と、上記の携帯情報端末とを含むシステムである。
【発明の効果】
【００１７】
以上説明したように、本発明の街路樹管理装置、携帯情報端末、及び街路樹管理システムによれば、街路樹の調査時において、高い精度で各街路樹を識別することができる、という効果が得られる。
【図面の簡単な説明】
【００１８】
【図１】本発明の実施の形態に係る街路樹管理システムを示すブロック図である。
【図２】本発明の実施の形態に係る携帯情報端末を示すブロック図である。
【図３】本発明の実施の形態に係る街路樹管理装置を示すブロック図である。
【図４】街路樹マップの一例を示す図である。
【図５】街路樹エントリの項目の一例を示す図である。
【図６】本発明の実施の形態に係る携帯情報端末における街路樹調査処理ルーチンの内容を示すフローチャートである。
【図７】新規エントリ入力画面の一例を示すイメージ図である。
【図８】街路樹エントリ画面の一例を示すイメージ図である。
【図９】本発明の実施の形態に係る街路樹管理装置における街路樹マップ作成処理ルーチンの内容を示すフローチャートである。
【図１０】本発明の実施の形態に係る街路樹管理装置におけるエントリ送信処理ルーチンの内容を示すフローチャートである。
【図１１】本発明の実施の形態に係る街路樹管理装置における街路樹管理処理ルーチンの内容を示すフローチャートである。
【図１２】本発明の実施の形態に係る街路樹管理装置における異常対応処理ルーチンの内容を示すフローチャートである。
【発明を実施するための形態】
【００１９】
以下、図面を参照して、本発明の実施の形態について説明する。
【００２０】
＜街路樹管理システムのシステム構成＞
図１に示すように、本発明の実施の形態に係る街路樹管理システム１００は、街路樹管理装置１０と、携帯情報端末５０と、専門業者端末９０とを備える。街路樹管理装置１０と、携帯情報端末５０及び専門業者端末９０の各々とは、インターネットなどのネットワーク７０で接続されている。なお、街路樹管理システム１００に含まれる携帯情報端末５０及び専門業者端末９０の数は、図１に示す例に限定されない。
【００２１】
携帯情報端末５０は、携帯電話、ＰＤＡ（Personal Digital Assistants）端末、あるいはノート型・ブック型コンピュータ端末等からなる。なお、携帯情報端末５０を、スマートフォンを一例として以下、説明する。携帯情報端末５０は、図２に示すように、測位部５４と、撮像部５６と、通信部５８と、制御部６０と、表示部６２とを含んで構成されている。
【００２２】
測位部５４は、ＧＰＳにより自端末の位置を計測し、ＧＰＳ計測結果を制御部６０へ出力する。例えば、測位部５４は、ＧＰＳ観測により取得した位置データと、受信して得られた基準局が観測した位相データとをリアルタイムで解析することにより、自端末の位置を数ｃｍの誤差で計測する。撮像部５６は、画像を撮像して、制御部６０へ出力する。通信部５８は、ネットワーク７０を介した通信を行う。
【００２３】
表示部６２は、例えば、タッチパネルディスプレイからなり、後述する街路樹エントリ画面や街路樹マップを表示する。また、表示部６２を介して、ユーザから、街路樹に関するエントリの各種情報等が入力される。
【００２４】
制御部６０は、ＣＰＵ、ＲＯＭ、ＲＡＭ、及びＨＤＤを備えたコンピュータで構成されており、ＨＤＤには、後述する街路樹調査処理ルーチンを含むアプリケーションソフトが記憶されている。制御部６０は、機能的には次に示すように構成されている。制御部６０は、街路樹マップ・エントリ取得部７２、及び街路樹エントリ処理部７６、及び表示制御部７８を備えている。なお、街路樹マップ・エントリ取得部７２は、取得部の一例であり、街路樹エントリ処理部７６は、処理部の一例である。
【００２５】
街路樹マップ・エントリ取得部７２は、測位部５４により計測された、現在の自端末の位置を示すＧＰＳ計測結果を取得し、取得したＧＰＳ計測結果と共に、街路樹マップの要求を、通信部１２を介して街路樹管理装置１０へ送信する。そして、街路樹マップ・エントリ取得部７２は、街路樹管理装置１０から送信された、後述する街路樹マップを取得する。
【００２６】
また、街路樹マップ・エントリ取得部７２は、街路樹マップ上の「最近傍な街路樹（詳細は後述）」を示す街路樹マーク（詳細は後述）に対応する街路樹のエントリの各種情報（詳細は後述）を街路樹管理装置１０に対して要求し、街路樹管理装置１０から送信された、街路樹の各種情報を示すエントリを取得する。また、街路樹マップ・エントリ取得部７２は、街路樹マップ上の街路樹マークを選択する操作を表示部６２により受け付けたときに、当該街路樹マークに対応する街路樹のエントリの各種情報を街路樹管理装置１０に対して要求し、街路樹管理装置１０から送信された、街路樹エントリの各種情報を取得する。
【００２７】
街路樹エントリ処理部７６は、管理対象となる街路樹の植樹位置に対応する位置で測位部５４により計測されたＧＰＳ測位結果を取得する。また、街路樹エントリ処理部７６は、管理対象となる街路樹を撮像部５６により撮像した街路樹画像を取得する。街路樹エントリ処理部７６は、表示部６２により入力された、管理対象となる街路樹に関する各種情報を受け付ける。
【００２８】
街路樹エントリ処理部７６は、ＧＰＳ計測結果を主キーとし、街路樹画像、及び街路樹に関する各種情報を含むエントリを作成して、新規情報として街路樹管理装置１０へ送信する。また、街路樹エントリ処理部７６は、街路樹管理装置１０で既に登録済みのエントリにおける各種情報の更新を受け付けた場合には、エントリの更新情報を街路樹管理装置１０へ送信する。また、街路樹エントリ処理部７６は、現実には存在しなくなった街路樹のエントリが街路樹管理装置１０に存在する場合、該当のエントリを抹消する指示を受け付け、該当のエントリを抹消するための抹消情報を街路樹管理装置１０へ送信する。
【００２９】
表示制御部７８は、街路樹マップを表示部６２に表示させる。また、表示制御部７８は、街路樹管理装置１０から街路樹のエントリの各種情報を取得したときに、取得したエントリの各種情報を表示した画面を表示部６２に表示させる。
【００３０】
街路樹管理装置１０は、例えば、サーバで構成される。街路樹管理装置１０は、ＣＰＵと、ＲＡＭと、後述する街路樹管理処理ルーチンを実行するためのプログラムを記憶したＲＯＭとを備え、機能的には次に示すように構成されている。図３に示すように、街路樹管理装置１０は、通信部１２と、街路樹マップ作成部１４と、地形データベース１６と、街路樹エントリ送信部１８と、街路樹管理台帳データベース２０と、街路樹エントリ管理部２２とを備えている。なお、街路樹マップ作成部１４は、作成部の一例であり、街路樹エントリ送信部１８は、送信部の一例であり、街路樹エントリ管理部２２は、管理部の一例である。
【００３１】
通信部１２は、ネットワーク７０を介した通信を行う。
【００３２】
街路樹マップ作成部１４は、携帯情報端末５０から送信された街路樹マップの要求を受け付けると、地形データベース１６に記憶されている地形地図上において、街路樹の主キーであるＧＰＳ計測結果に対応する位置に、当該街路樹のエントリへのリンクが設定された街路樹マークを付与した街路樹マップを作成する。また、街路樹マップ作成部１４は、街路樹マップにおいて、携帯情報端末５０から送信されたＧＰＳ計測結果に対応する位置に、携帯情報端末５０を操作する管理担当者の現在位置を示す管理担当者マークを付与する。さらに、街路樹マップ作成部１４は、管理担当者の現在位置に最近傍な街路樹に対応する街路樹マークが、他の街路樹マークとは異なる態様で表示されるように変更する。
【００３３】
図４に、街路樹マップの一例を示す。図４の例では、地形地図上において、街路樹の主キーであるＧＰＳ計測結果に対応する位置に、街路樹マークが黒色及び白色の星印で表示されている。街路樹マークのうち、白色の星印で表示された街路樹マークは、管理担当者の現在位置に最近傍な街路樹に対応する街路樹マークである。また、管理担当者の現在位置は、丸印で表示されている。なお、各街路樹マークには、その街路樹マークに対応する街路樹のエントリへのリンクが設定されている。
【００３４】
街路樹マップ作成部１４は、作成した街路樹マップを、通信部１２を介して携帯情報端末５０へ送信する。
【００３５】
地形データベース１６は、地形地図を記憶している。
【００３６】
街路樹エントリ送信部１８は、携帯情報端末５０から送信された、街路樹のエントリの要求を受け付けると、当該街路樹のエントリを、街路樹管理台帳データベース２０から取得して、通信部１２を介して携帯情報端末５０へ送信する。例えば、上記図４に示す管理担当者の現在位置に最近傍な街路樹のエントリの要求や、携帯情報端末５０において、街路樹マップ上から選択された街路樹マークに対応する街路樹のエントリの要求が、携帯情報端末５０から送信される。
【００３７】
街路樹管理台帳データベース２０は、街路樹の植樹位置に対応する位置で計測したＧＰＳ計測結果を主キーとし、街路樹を撮像した街路樹画像、及び街路樹に関する各種情報を含むエントリを、街路樹毎に記憶している。
【００３８】
各街路樹のエントリの項目には、図５に示すように、『登録番号』、『基本情報』、『樹木形状』、『活力状況』、『植栽環境』、及び『備考』が含まれる。
【００３９】
ここで、『登録番号』は、管理対象とする街路樹の極近傍でＧＰＳ観測により取得した位置情報であり、各エントリの主キーとなる情報である。このように、ＧＰＳ観測により取得した位置情報を用いて、管理対象となる各々の街路樹に「登録番号」を割り振る。
【００４０】
例えば、上述したように、携帯情報端末５０の測位部５４により、目的とする街路樹の極近傍でＧＰＳ観測により取得した位置データと、受信して得られた基準局が観測した位相データとをリアルタイムで解析することにより、観測点の位置データは数ｃｍの誤差で計測される。対象とする高木（３ｍ以上）の街路樹は、数メートル以上の間隔で植栽されているため、各々の街路樹の位置情報は一意に決定される。
【００４１】
『基本情報』は、８つの項目「路線名」、「樹種名」、「植栽年」、「管理履歴」、「障害履歴」、「樹木価値」、「前回調査日時」、及び「全景写真」を有している。
【００４２】
「路線名」には、当該エントリが示す街路樹の植栽されている道路の路線名が記録される。「樹種名」には、当該エントリが示す街路樹の樹種名が記録される。「植栽年」には、当該エントリが示す街路樹の植栽された年が記録される。「管理履歴」には、例えば、当該エントリが示す街路樹の剪定等の管理状況の履歴が記録される。「障害履歴」には、例えば、当該エントリが示す街路樹の倒伏・落枝等の履歴が記録される。「樹木価値」には、例えば、当該エントリが示す街路樹が有するシンボル、緑陰、遮へい等の明確な機能が記録される。
【００４３】
「前回調査日時」には、当該エントリが示す街路樹において、過去に生育状況調査を行っている場合の調査日時が記録される。「全景写真」には、当該エントリが示す街路樹の生育状況を示した写真のデジタルデータが撮影日時と共に記録される。
【００４４】
『樹木形状』は、８つの項目「樹高」、「幹周」、「枝張り」、「枝下高」、「根元周」、「樹木の傾き」、「樹齢」、及び「樹冠形状」を有している。
【００４５】
「樹高」には、当該エントリが示す街路樹の高さが記録される。「幹周」には、当該エントリが示す街路樹の樹木の幹の周囲寸法が記録される。「枝張り」には、当該エントリが示す街路樹について、樹木の四方面に伸長した枝（葉）の幅が、車道側と歩道側とに分けて記録される。「枝下高」には、当該エントリが示す街路樹の根元から力枝（ちからえだ＝樹冠で最も長大な枝のこと）までの樹幹の長さが記録される。「根元周」には、当該エントリが示す街路樹の立木の根元部分の直径が記録される。
【００４６】
「樹木の傾き」には、街路樹毎に予め付与される樹木の傾き情報が記録される。例えば「１：傾き・無」、「２：傾き・有［安全］」、「３：傾き・有［危険］」等のように予め傾きの有無毎に番号を付与し、当該番号が「樹木の傾き」の項目に記録される。
【００４７】
「樹齢」は、さらに２つの項目「年齢」及び「時期」を有している。「年齢」には、当該エントリが示す街路樹の年齢が記録される。「時期」には、街路樹毎に予め付与される街路樹の年齢の段階が記録される。例えば「１：若木」、「２：成木」、「３：老木」等のように予め時期毎に番号を付与し、当該番号が「時期」の項目に記録される。
【００４８】
「樹冠形状」には、街路樹毎に予め付与される街路樹の樹冠形状の情報が記録される。例えば「１：自然樹形」、「２：自然相似樹形」、「３：人工樹形」等のように予め形状毎に番号を付与し、当該番号が「樹冠形状」の項目に記録される。
【００４９】
『活力状況』は、５つの項目「樹勢」、「葉の生育状況」、「傷口材の成長」、「病害」、及び「虫害」を有している。
【００５０】
「樹勢」には、街路樹毎に予め付与される街路樹の生育状況の情報が記録される。例えば「１：良い」、「２：普通」、「３：少し悪い」、「４：悪い」、「５：枯死」等のように予め生育状況毎に番号を付与し、当該番号が「樹勢」の項目に記録される。
【００５１】
「葉の生育状況」には、街路樹毎に予め付与される街路樹の葉の生育状況の情報が記録される。例えば「１：良い」、「２：普通」、「３：少し悪い」、「４：悪い」、「５：枯死」等のように予め生育状況毎に番号を付与し、当該番号が「葉の生育状況」の項目に記録される。
【００５２】
「傷口材の成長」には、当該エントリが示す街路樹における病患部を削り取った後の傷口の成長状態の情報が記録される。例えば「０：無し」、「１：良い」、「２：普通」、「３：少し悪い」、「４：悪い」等のように予め成長状態毎に番号を付与し、当該番号が「傷口材の成長」の項目に記録される。
【００５３】
「病害」は、さらに２つの項目「病害」及び「病名」を有している。「病害」には、街路樹毎に予め付与される街路樹の病害の有り無しの情報が記録される。例えば「０：無し」、「１：有り」等のように予め番号を付与し、当該番号が「病害」の項目に記録される。「病名」には、「病害」が有りと判定された場合に限り、病名の情報が記録される。
【００５４】
「虫害」は、さらに２つの項目「虫害」及び「虫名」を有している。「虫害」には、街路樹毎に予め付与される街路樹の虫害の有り無しの情報が記録される。例えば「０：無し」、「１：有り」等のように予め番号を付与し、当該番号が「虫害」の項目に記録される。「虫名」には、「虫害」が有りと判定された場合に限り、虫名の情報が記録される。
【００５５】
『植栽環境』は、２つの項目「植栽地」及び「周辺環境」を有している。
【００５６】
「植栽地」は、さらに３つの項目「植栽地の種類」、「保護材」、及び「根上り」を有している。
【００５７】
「植栽地の種類」には、街路樹毎に予め付与される街路樹が植栽された土地の種類の情報が記録される。例えば「１：植樹帯」、「２：植樹枡」、「３：緑地帯」、「４：中央分離帯」、「５：道路のり面」等のように予め土地の種類毎に番号を付与し、当該番号が「植栽地の種類」の項目に記録される。
【００５８】
「保護材」は、さらに２つの項目「保護材」及び「保護材の状態」を有している。「保護材」には、街路樹毎に予め付与される街路樹の保護材の有り無しの情報が記録される。例えば「０：無し」、「１：有り」等のように予め番号を付与し、当該番号が「保護材」の項目に記録される。「保護材の状態」には、「保護材」が有りと判定された場合に限り、保護材の状態の情報が記録される。例えば「１：良好」、「２：支柱の破損」、「３：樹冠への食い込み」、「４：結束不良」、「５：踏圧防止板の破損」、「６：根株の巻き込み」等のように予め保護材の状態毎に番号を付与し、当該番号が「保護材の状態」の項目に記録される。
【００５９】
「根上り」は、さらに２つの項目「根上り」及び「根上り被害」を有している。「根上り」には、街路樹毎に予め付与される街路樹の根上りの有り無しの情報が記録される。例えば「０：無し」、「１：有り」等のように予め番号を付与し、当該番号が「根上り」の項目に記録される。「根上り被害」には、「根上り」が有りと判定された場合に限り、根上りの被害の情報が記録される。例えば「１：縁石の不陸」、「２：踏圧防止板の不陸」、「３：舗装の不陸」、「４：隣接構造物との接触」等のように予め被害の種類毎に番号を付与し、当該番号が「根上り被害」の項目に記録される。
【００６０】
「周辺環境」は、さらに３つの項目「土地利用状況」、「気象による影響」、及び「近接の設置物」を有している。
【００６１】
「土地利用状況」には、街路樹毎に予め付与される街路樹の植栽された周辺の土地の利用状況の情報が記録される。例えば「１：住居地域」、「２：商業地域」、「３：工業地域」、「４：農漁村地域」、「５：自然（観光）地域」等のように予め土地利用状況毎に番号を付与し、当該番号が「土地利用状況」の項目に記録される。
【００６２】
「気象による影響」には、街路樹毎に予め付与される街路樹の植栽された地域が影響を受けやすい気象の情報が記録される。例えば「１：平地（季節風）」、「２：海岸地（潮風）」、「３：ビル街（ビル風）」、「４：積雪地（降雪）」、「５：台風襲来が多い地域」等のように予め影響が想定される気象毎に番号を付与し、当該番号が「気象による影響」の項目に記録される。
【００６３】
「近接の設置物」は、さらに２つの項目「近接の設置物」及び「設置物の種類」を有している。「近接の設置物」には、街路樹毎に予め付与される近接の設置物の有り無しの情報が記録される。例えば「０：無し」、「１：有り」等のように予め番号を付与し、当該番号が「近接の設置物」の項目に記録される。「設置物の種類」には、「近接の設置物」が有りと判定された場合に限り、設置物の種類の情報が記録される。例えば「１：信号機」、「２：標識」、「３：防護柵」、「４：道路照明」、「架空線」等のように設置物の種類毎に番号を付与し、当該番号が「設置物の種類」の項目に記録される。
【００６４】
『備考』には、当該エントリが示す街路樹についてのコメント等の付加的な情報を記録される。なお、街路樹管理台帳データベース２０の項目は、上記の例には限定されない。
【００６５】
街路樹エントリ管理部２２は、携帯情報端末５０から送信された街路樹のエントリの新規情報を取得した場合、街路樹の植樹位置に対応する位置で計測したＧＰＳ計測結果を主キーとし、街路樹を撮像した街路樹画像、及び街路樹に関する各種情報を含むエントリを、街路樹管理台帳データベース２０に登録する。また、街路樹エントリ管理部２２は、携帯情報端末５０から送信された街路樹のエントリの更新情報を取得した場合、該当のエントリを、更新情報に基づいて更新する。また、街路樹エントリ管理部２２は、携帯情報端末５０から送信された街路樹のエントリの抹消情報を取得した場合、該当のエントリを抹消する。
【００６６】
また、街路樹エントリ管理部２２は、新規に登録されたエントリ、又は更新されたエントリにおいて、専門業者において対応可能な異常として予め定めた異常を示す情報が含まれる場合、専門業者端末９０へ、異常に対する対応依頼の発注を送信する。
【００６７】
専門業者端末９０は、例えば、サーバ、携帯電話、ＰＤＡ端末、ノート型・ブック型コンピュータ端末、スマートフォン等で構成される。専門業者端末９０は、ＣＰＵと、ＲＡＭと、ＲＯＭとを備え、また、ネットワーク７０を介して街路樹管理装置１０と通信を行うための通信部を備える。
【００６８】
＜街路樹管理システム１００の動作＞
次に、本実施の形態に係る街路樹管理システム１００の動作について説明する。まず、街路樹の調査を行う管理担当者が、携帯情報端末５０を保持して調査位置にいるときに、管理担当者から街路樹調査処理を開始する指示が入力されると、携帯情報端末５０において、図６に示す街路樹調査処理ルーチンが実行される。
【００６９】
なお、調査位置とは、調査対象となる街路樹の極近傍や、街路樹が以前存在していた位置などである。より具体的には、現在存在する街路樹の調査を行う場合には、調査対象となる街路樹の極近傍で街路樹調査処理を開始する指示が入力され、伐採や移植等により既に存在しなくなっている街路樹に関するエントリの抹消を行う場合には、街路樹が以前存在していた位置で街路樹調査処理を開始する指示が入力されることを想定する。
【００７０】
まず、ステップＳ１００において、測位部５４により計測された現在の自端末の位置を示すＧＰＳ計測結果を取得し、取得したＧＰＳ計測結果と共に、街路樹マップの要求を、通信部１２を介して街路樹管理装置１０へ送信する。
【００７１】
そして、ステップＳ１０２において、街路樹管理装置１０から送信された街路樹マップを取得し、ステップＳ１０４において、上記ステップＳ１０２で取得した街路樹マップを表示部６２に表示させる。
【００７２】
次に、ステップＳ１０６で、携帯情報端末５０を保持した管理担当者の現実の位置と、表示された街路樹マップ上で管理担当者マークが示す管理担当者の位置とが一致するか否かを判定する。この判定は、例えば、自端末の位置を計測し直す指示が入力されたか否かや、位置が一致している又は不一致であることを示す入力がなされたか否かを判定することにより行うことができる。
【００７３】
自端末の位置を計測し直す指示や位置が不一致であることを示す入力がなされた場合には、管理担当者の現実の位置と街路樹マップ上での位置とが一致していないと判定して、ステップＳ１００に戻る。一方、自端末の位置を計測し直す指示が所定時間入力されない場合や、位置が一致していることを示す入力がなされた場合には、管理担当者の現実の位置と街路樹マップ上での位置とが一致していると判定して、ステップＳ１０８へ進む。
【００７４】
なお、本ステップが複数回否定判定となった場合には、表示部６２に異常を示すメッセージを表示して、街路樹調査処理ルーチンを終了してもよい。
【００７５】
ステップＳ１０８では、表示された街路樹マップ上に、管理担当者の位置に最近傍な街路樹に対応する街路樹マークが表示されているか否かを判定する。詳細は後述するが、管理担当者の位置と、管理担当者の位置から最も近い位置に存在する街路樹との距離が所定距離以上離れている場合には、管理担当者の位置に最近傍な街路樹とはみなさないため、最近傍な街路樹に対応する街路樹マークが表示されない場合もある。管理担当者の位置に最近傍な街路樹に対応する街路樹マークが表示されている場合には、ステップＳ１２２へ進み、表示されていない場合には、ステップＳ１１０へ進む。
【００７６】
ステップＳ１１０では、携帯情報端末５０を保持した管理担当者がいる調査位置は、現実に存在する街路樹の近傍か否かを判定する。この判定は、例えば、エントリの新規作成を指示する入力がなされたか否かにより行うことができる。エントリの新規作成を指示する入力がなされた場合、調査位置の街路樹は、街路樹管理台帳データベース２０にエントリが存在しない街路樹であると判定して、ステップＳ１１２〜Ｓ１２０のエントリの新規入力処理へ進む。一方、エントリの新規作成を行わない旨の入力がなされた場合、調査位置に存在していた街路樹のエントリは、街路樹管理台帳データベース２０から既に抹消されていると判定して、そのまま街路樹調査処理ルーチンを終了する。
【００７７】
ステップＳ１１２では、表示部６２に、例えば、図７に示すような、新規エントリ入力画面８０を表示する。新規エントリ入力画面８０には、エントリの各項目の情報を入力するためのテキストボックスやプルダウンメニュー、街路樹マップ、携帯情報端末５０の各機能を起動するためのコマンドボタン等が含まれる。
【００７８】
次に、ステップＳ１１４で、測位部５４により、現在の自端末の位置を計測させ、ＧＰＳ計測結果を取得する。この処理は、例えば、新規エントリ入力画面８０に、自端末の位置の計測を促すメッセージと共に、測位部５４を起動するためのコマンドボタン８２を表示し、このコマンドボタン８２がユーザにより選択された場合に、測位部５４が起動されて実行される。
【００７９】
次に、ステップＳ１１６で、撮像部５６から街路樹画像を取得する。この処理は、例えば、新規エントリ入力画面８０に、街路樹の撮像を促すメッセージと共に、撮像部５６を起動するためのコマンドボタン８４を表示し、このコマンドボタン８４がユーザにより選択された場合に、撮像部５６が起動されて実行される。より具体的には、管理担当者が、撮像部５６による撮像範囲に、管理対象となる街路樹が含まれるように、携帯情報端末５０を街路樹に対してかざして、撮像部５６により、街路樹を撮像する。このようにして撮像された街路樹画像を取得する。
【００８０】
そして、ステップＳ１１８において、管理担当者が表示部６２を操作することにより入力された、街路樹のエントリの各項目に対応した、街路樹に関する各種情報を受け付ける。
【００８１】
ステップＳ１２０では、上記ステップＳ１１４で得られたＧＰＳ計測結果を主キーとし、上記ステップＳ１１６で得られた街路樹画像、及び上記ステップＳ１１８で得られた街路樹に関する各種情報を含むエントリを作成して、新規情報として街路樹管理装置１０へ送信して、街路樹調査処理ルーチンを終了する。
【００８２】
また、ステップＳ１２２では、上記ステップＳ１１０と同様に、携帯情報端末５０を保持した管理担当者がいる調査位置は街路樹近傍か否かを判定する。調査位置が街路樹近傍の場合、調査位置の街路樹は、街路樹管理台帳データベース２０に既にエントリが存在する街路樹であることを表しているため、ステップＳ１２４〜Ｓ１３０のエントリの更新処理へ進む。
【００８３】
ステップＳ１２４では、街路樹マップに表示された最近傍な街路樹に対応する街路樹マークに設定されたリンクに従って、最近傍な街路樹のエントリの要求として、最近傍な街路樹のエントリの登録番号を、通信部１２を介して街路樹管理装置１０へ送信する。そして、街路樹管理装置１０から送信された、最近傍な街路樹のエントリを取得する。
【００８４】
そして、ステップＳ１２６において、表示部６２に、例えば、図８に示すような、街路樹エントリ画面８６を表示させる。街路樹エントリ画面８６は、取得したエントリが示す各種情報が、エントリの各項目に対応付けて表示される点を除いて、概ね図７に示す新規エントリ入力画面８０と同様である。各項目に対応付けて表示された各種情報は、変更や削除等の編集が可能である。
【００８５】
なお、図７及び図８において、図示の都合上、エントリの項目の一部を省略している。
【００８６】
ステップＳ１２８において、管理担当者が表示部６２を操作することにより入力された、街路樹のエントリの各項目に対応した更新情報を受け付ける。なお、街路樹エントリ画面８６には、最新の街路樹画像８８を表示することができるが、撮像部５６を起動するためのコマンドボタン８４が管理担当者により選択された場合には、上記ステップＳ１１６と同様に、新たな街路樹画像を取得することで、新たな街路樹画像を更新情報として受け付けることもできる。
【００８７】
ステップＳ１３０では、上記ステップＳ１２８で受け付けたエントリの更新情報を、該当のエントリの登録番号と対応付けて、街路樹管理装置１０へ送信して、街路樹調査処理ルーチンを終了する。
【００８８】
一方、上記ステップＳ１２２において、調査位置が街路樹近傍ではないと判定された場合には、調査位置において既に存在しない街路樹のエントリが、街路樹管理台帳データベース２０に残存していると判定し、ステップＳ１３２へ進む。
【００８９】
ステップＳ１３２で、街路樹マップに表示された最近傍な街路樹に対応する街路樹マークに設定されたリンクを利用して、該当の街路樹のエントリを街路樹管理台帳データベース２０から抹消するための抹消情報を生成し、該当のエントリの登録番号と対応付けて、街路樹管理装置１０へ送信して、街路樹調査処理ルーチンを終了する。
【００９０】
携帯情報端末５０から送信された、街路樹マップの要求を街路樹管理装置１０が受信すると、街路樹管理装置１０において、図９に示す街路樹マップ作成処理ルーチンが実行される。
【００９１】
まず、ステップＳ１４０において、携帯情報端末５０から街路樹マップの要求と共に受信したＧＰＳ計測結果が示す携帯情報端末５０の位置を含む所定範囲の地形地図を地形データベース１６から読み込む。そして、ステップＳ１４２において、登録番号であるＧＰＳ計測結果が示す位置が、読み込んだ地形地図の所定範囲に含まれるエントリを１つ選択し、街路樹管理台帳データベース２０から読み込む。
【００９２】
次に、ステップＳ１４４で、上記ステップＳ１４０で読み込んだ地形地図上において、読み込んだエントリの登録番号であるＧＰＳ計測結果に対応する位置に、読み込んだエントリへのリンクを設定した街路樹マークを付与する。
【００９３】
次に、ステップＳ１４６で、上記ステップＳ１４０で読み込んだ地形地図の所定範囲に登録番号であるＧＰＳ計測結果が示す位置が含まれる全てのエントリについて上記ステップＳ１４２〜Ｓ１４４の処理を実行したか否かを判定する。上記ステップＳ１４２〜Ｓ１４４の処理を実行していないエントリが存在する場合には、上記ステップＳ１４２へ戻る。一方、上記ステップＳ１４２〜Ｓ１４４の処理を全てのエントリについて終了した場合には、ステップＳ１４８に進む。
【００９４】
ステップＳ１４８では、街路樹マップにおいて、携帯情報端末５０から送信されたＧＰＳ計測結果に対応する位置に、携帯情報端末５０を操作する管理担当者の現在位置を示す管理担当者マークを付与する。
【００９５】
次に、ステップＳ１５０で、上記ステップＳ１４２で読み込んだ各エントリのうち、各エントリの登録番号であるＧＰＳ計測結果が示す位置が、管理担当者の現在位置と所定距離以内で、かつ最も近いエントリに対応する街路樹を、管理担当者の現在位置に最近傍な街路樹として特定する。所定距離は、管理担当者の位置に対して調査対象の街路樹であると判定できる程度の距離、例えば、街路樹が植樹されている間隔より短い距離を予め設定しておく。
【００９６】
そして、ステップＳ１５２で、特定した最近傍な街路樹に対応する街路樹マークが、他の街路樹マークとは異なる態様で表示されるように変更する。例えば、マークの色、サイズ、形状などを変更してもよいし、マークを点滅させたり輝度を高くしたりするなどして、強調表示されるように変更してもよい。
【００９７】
次に、ステップＳ１５４で、上記ステップＳ１５２までで得られた街路樹マップを最終的な街路樹マップとする。そして、作成した街路樹マップを、通信部１２を介して携帯情報端末５０へ送信し、街路樹マップ作成処理ルーチンを終了する。
【００９８】
また、携帯情報端末５０から、最近傍な街路樹のエントリの要求として送信された、最近傍な街路樹のエントリの登録番号を街路樹管理装置１０が受信すると、街路樹管理装置１０において、図１０に示すエントリ送信処理ルーチンが実行される。
【００９９】
ステップＳ１６０で、受信した登録番号をキーとするエントリを、街路樹管理台帳データベース２０から取得する。そして、ステップＳ１６２で、取得したエントリを、通信部１２を介して携帯情報端末５０へ送信し、エントリ送信処理ルーチンを終了する。
【０１００】
なお、携帯情報端末５０において、街路樹マップ上から、最近傍な街路樹以外の街路樹を示す街路樹マークが選択された場合にも、選択された街路樹マークに設定されたリンクに従って、該当の街路樹のエントリの要求を携帯情報端末５０から送信し、このエントリの要求を街路樹管理装置１０で受信する。この場合にも、街路樹管理装置１０において、上記のエントリ送信処理ルーチンを実行すればよい。
【０１０１】
携帯情報端末５０から送信された、エントリの新規情報、更新情報、又は抹消情報を街路樹管理装置１０が受信すると、街路樹管理装置１０において、図１１に示す街路樹管理処理ルーチンが実行される。
【０１０２】
まず、ステップＳ１７０で、携帯情報端末５０から受信した情報が、エントリの新規情報か否かを判定する。エントリの新規情報の場合には、ステップＳ１７２へ進み、エントリの新規情報ではない場合には、ステップＳ１７４へ進む。
【０１０３】
ステップＳ１７２では、受信した新規情報に基づいて、街路樹管理装置１０の街路樹管理台帳データベース２０に、ＧＰＳ計測結果を主キーとし、街路樹画像、及び街路樹に関する各種情報を含むエントリを登録し、ステップＳ１８０へ進む。
【０１０４】
一方、ステップＳ１７４では、携帯情報端末５０から受信した情報が、エントリの更新情報か否かを判定する。エントリの更新情報の場合には、ステップＳ１７６へ進み、エントリの更新情報ではない場合には、エントリの抹消情報であると判定して、ステップＳ１７８へ進む。
【０１０５】
ステップＳ１７６では、受信した更新情報に対応付けられた登録番号をキーに、街路樹管理装置１０の街路樹管理台帳データベース２０から、更新対象のエントリを検索し、検索されたエントリを、受信した更新情報に基づいて更新し、ステップＳ１８０へ進む。
【０１０６】
一方、ステップＳ１７８では、受信した抹消情報に対応付けられた登録番号をキーに、街路樹管理装置１０の街路樹管理台帳データベース２０から、抹消対象のエントリを検索し、検索されたエントリを、街路樹管理台帳データベース２０から抹消し、街路樹管理処理を終了する。
【０１０７】
ステップＳ１８０では、新規に登録されたエントリ、又は更新されたエントリにおいて、「活力状況」の項目に入力された情報に異常があるか否かを判定する。「活力状況」が異常か否かは、例えば、「樹勢」が「４：悪い」又は「５：枯死」、「葉の生育状況」が「４：悪い」又は「５：枯死」、「傷口材の成長」が「４：悪い」、「病害」が「１：有り」、「虫害」が「１：有り」等、異常を判定するために予め定めた条件に該当するか否かにより判定する。「活力状況」に異常がある場合には、ステップＳ１８２で異常対応処理を実行し、「活力状況」に異常がない場合には、街路樹管理処理ルーチンを終了する。
【０１０８】
ここで、図１２を参照して、異常対応処理ルーチンについて説明する。
【０１０９】
まず、ステップＳ１９０で、「活力状況」の異常は、病虫害の治療で対応可能か否かを判定する。この判定は、「活力状況」が異常か否かを判定するための条件毎に対応策を対応付けておき、「活力状況」が異常であると判定した際に、いずれの条件に該当したかに応じて、その条件に対応付けられた対応策に基づいて行う。病虫害の治療で対応可能な場合には、ステップＳ１９２へ進み、病虫害の治療で対応不可の場合には、ステップＳ１９４へ進む。
【０１１０】
ステップＳ１９２では、病虫害の専門業者に、病虫害の治療の対応依頼を自動発注する。自動発注の方法としては、例えば、予め定めた対応依頼のフォーマットに、「活力状況」が異常と判定されたエントリの情報を入力した発注書を、病虫害の専門業者が使用する専門業者端末９０へメールで送信してもよいし、専門業者端末９０と街路樹管理装置１０間で利用される専用システムを介して送信してもよい。
【０１１１】
一方、ステップＳ１９４では、「活力状況」の異常は、間伐又は剪定で対応可能か否かを判定する。この判定は、上記ステップＳ１９０と同様に、「活力状況」が異常か否かを判定するための条件毎に対応付けられた対応策に基づいて行う。間伐又は剪定で対応可能な場合には、ステップＳ１９６へ進み、間伐又は剪定で対応不可の場合には、ステップＳ１９８へ進む。
【０１１２】
ステップＳ１９６では、上記ステップＳ１９２と同様に、間伐、剪定等の専門業者が使用する専門業者端末９０へ、間伐又は剪定の対応依頼を自動発注する。
【０１１３】
一方、ステップＳ１９８では、「活力状況」の異常に対して、伐採又は再植栽で対応すると判定する。そして、ステップＳ２００で、上記ステップＳ１９２と同様に、伐採、再植栽等の専門業者が使用する専門業者端末９０へ、伐採又は再植栽の対応依頼を自動発注する。
【０１１４】
次に、ステップＳ２０２で、専門業者への対応依頼の発注状況を、例えば、エントリの「備考」の項目に記録して、異常対応処理を終了し、街路樹管理処理ルーチンへ戻る。そして、街路樹管理処理ルーチンを終了する。
【０１１５】
なお、上記街路樹管理処理ルーチンでは、「活力状況」の項目に異常がある場合に、異常対応処理を実行する場合について説明したが、これに限定されず、他の項目に異常がある場合に異常対応処理を実行するようにしてもよいし、複数の項目の組み合わせが予め定めた異常を示す条件に該当する場合に、異常対応処理を実行するようにしてもよい。
【０１１６】
以上説明したように、本発明の実施の形態に係る街路樹管理システムによれば、携帯情報端末により、管理対象となる街路樹の植樹位置に対応する位置で計測したＧＰＳ計測結果を主キーとして作成された街路樹毎のエントリが登録された街路樹管理台帳データベースを参照して、調査位置に対応するエントリを特定する。これにより、複数の街路樹が植樹されている範囲を巡視する場合も含め、街路樹の調査時において、高い精度で各街路樹を識別することができる。
【０１１７】
また、街路樹の調査で、街路樹のエントリが新規登録又は更新された場合において、新規登録又は更新されたエントリに対応する街路樹の活力状況が異常を示している場合には、専門業者への対応依頼が自動発注されるため、街路樹の異常に対する迅速な対応が可能となる。
【０１１８】
なお、本発明は、上述した実施の形態に限定されるものではなく、この発明の要旨を逸脱しない範囲内で様々な変形や応用が可能である。
【符号の説明】
【０１１９】
１０   街路樹管理装置
１２   通信部
１４   街路樹マップ作成部
１６   地形データベース
１８   街路樹エントリ送信部
２０   街路樹管理台帳データベース
２２   街路樹エントリ管理部
５０   携帯情報端末
５４   測位部
５６   撮像部
５８   通信部
６０   制御部
６２   表示部
７０   ネットワーク
７２   街路樹マップ・エントリ取得部
７６   街路樹エントリ処理部
７８   表示制御部
８０   新規エントリ入力画面
８６   街路樹エントリ画面
９０   専門業者端末
１００ 街路樹管理システム
【図１】
2019095976.tif 000003
【図２】
2019095976.tif 000004
【図３】
2019095976.tif 000005
【図４】
2019095976.tif 000006
【図５】
2019095976.tif 000007
【図６】
2019095976.tif 000008
【図７】
2019095976.tif 000009
【図８】
2019095976.tif 000010
【図９】
2019095976.tif 000011
【図１０】
2019095976.tif 000012
【図１１】
2019095976.tif 000013
【図１２】
2019095976.tif 000014